(57)【要約】【課題】ハンドセットとカードアダプターを一体的に構成することにより、情報機器側の負荷を低減することができるとともに、筐体やＵＳＢケーブル、インターフェース制御装置などの共用化が可能となり、経済的で使い勝手のよいハンドセット装置の提供。【解決手段】ＵＳＢハンドセット１は、ＰＣ１００とＵＳＢプロトコルによって接続されるとともに、スピーカー５０及びマイクロフォン６０を有しており、さらに機能拡張カードであるＣＦ−ＰＨＳカード２００の装着が可能になされるているため、情報機器にＣＦ−ＰＨＳカード２００による通信機能を付加することができるとともに、スピーカー５０及びマイクロフォン６０によって通話端末として機能可能になされている。【選択図】      図１
2004248239.tif 000002
【特許請求の範囲】
【請求項１】
スピーカーとマイクロフォンを有し音声通話が可能になされたハンドセット装置であって、
情報機器との間でＵＳＢプロトコルに基づいてデータ通信可能なＵＳＢ通信手段と、
機能拡張カードを挿入および接続可能なカードスロット部と、
前記カードスロットへ挿入した機能拡張カードを制御する機能拡張カード制御手段と
を有することを特徴とするハンドセット装置。
【請求項２】
前記カードスロットに装着された機能拡張カードのファンクション種別を検出するカード種別検出機能を有しており、該カード検出機能による検出結果に基づいて制御機能を切替えることにより、一つのカードスロットに複数の異なるファンクションの機能拡張カードの装着を可能になしたことを特徴とする請求項１に記載のハンドセット装置。
【請求項３】
メモリーカードの読み出し、書き込み、消去を制御するメモリーカード制御機能を有しており、前記カードスロットにメモリーカードの装着を可能になしたことを特徴とする請求項１又は２に記載のハンドセット装置。
【請求項４】
ＰＨＳカードを制御するＰＨＳカード制御機能を有しており、前記カードスロットにＰＨＳカードの装着を可能になしたことを特徴とする請求項１又は２又は３に記載のハンドセット装置。
【請求項５】
特定の電話局番を指定可能なダイヤル手段を有することを特徴とする請求項１又は２又は３又は４に記載のハンドセット装置。
【請求項６】
前記機能拡張カードのインターフェース規格が、ＣＦＩ／Ｏカード規格であることを特徴とする請求項１又は２又は３又は４又は５に記載のハンドセット装置。
【請求項７】
前記機能拡張カードのインターフェース規格が、ＳＤＩ／Ｏカード規格であることを特徴とする請求項１又は２又は３又は４又は５に記載のハンドセット装置。
【請求項８】
前記機能拡張カードのインターフェース規格が、メモリースティックＩ／Ｏカード規格であることを特徴とする請求項１又は２又は３又は４又は５に記載のハンドセット装置。
【発明の詳細な説明】
【０００１】
【発明の属する技術分野】
本発明は、スピーカーとマイクロフォンを有しており音声通話が可能になされたハンドセット装置に関する。
【０００２】
【従来の技術】
従来、他の機器との無線通信を行う無線通信機能を有するＰＣカードと、このＰＣカードが着脱自在に装着されるＰＣカードスロットとを有し、上記ＰＣカードの上記無線通信機能により他の機器との間で無線通信を行う情報機器が開示されている（特許文献１参照）。この情報機器においては、携帯型情報機器をカバンなどに収容したままでその携帯型情報機器の無線通信機能を利用して音声通信を実行できるようにして、データおよび音声の双方の通信に好適な情報装置及びＰＣカードを提供することを目的としている。
【０００３】
また、ＩＰ電話の普及に伴い、ＩＰ電話の音声端末としてＰＣのＵＳＢポートに接続して音声通話が可能になされたＵＳＢ接続のＵＳＢハンドセットが販売されている。具体的には、コンパル社製「ｉ−ｔａｌｋ２Ｕハンドセット」（非特許文献１参照）やタイコー社製「ＰＣネットフォン３２３」（非特許文献２参照）などがそれに当たる。
【０００４】
一方、メモリーカードやＩ／Ｏカードなどの機能拡張カードとＰＣとのデータ通信を可能にすべく、ＰＣのＵＳＢポートに接続してデータの変換、通信が可能になされたＵＳＢ接続のＵＳＢカードアダプター装置が使用されている。具体的には、本出願人による「フラッシュゲートバリュー」などがそれに当たる。なお、当該「フラッシュゲートバリュー」においては、ＰＨＳカードとメモリーカードの何れも装着可能な機能を有している。
【特許文献１】特開２０００−３２４５５７
【非特許文献１】「ｈｔｔｐ：／／ｗｗｗ．ｃｏｍｐａｌ．ｔｏ／ｐｒｏｄｕｃｔｓ／ｐｒｏｄｕｃｔｓ／ｉ−ｔａｌｋ２ｕ／ｔｏｐ．ｈｔｍｌ」（ウェブページ、２００３年１月現在）
【非特許文献２】「ｈｔｔｐ：／／ｗｗｗ．ｔａｉｋｏ−ｅｗ．ｃｏ．ｊｐ／ｉｐ＿ｓｙｓｔｅｍ／ｐｃｐｈ３２３／ｐｃｐｈ３２３．ｈｔｍｌ」（ウェブページ、２００３年１月現在）
【非特許文献３】「ｈｔｔｐ：／／ｗｗｗ．ｈｓｃｊｐｎ．ｃｏ．ｊｐ／ｐｒｏｄｕｃｔｓ＿ｓ．ｐｈｐ？ｉｄｎｏ＝１４」（ウェブページ、２００３年１月現在）
【０００５】
【発明が解決しようとする課題】
しかしながら、前記特許文献１に記載された技術においては、カードスロットはあくまで情報機器側にしか無いため、情報機器側の負荷が大きいものであった。
【０００６】
また、前記コンパル社製「ｉ−ｔａｌｋ２Ｕハンドセット」や前記タイコー社製「ＰＣネットフォン３２３」などのＵＳＢハンドセットと、前記本出願人による「フラッシュゲートバリュー」などのカードスロット部を有するＵＳＢカードアダプターにおいては、別個の機能を有する装置であるためそれぞれ別々に構成されており、同時に使用する場合においても別のＵＳＢポートに別々に接続しなければならないため、使い勝手の悪いものであった。また、それぞれ別体であるため、筐体やＵＳＢケーブル、インターフェース制御装置などをそれぞれが重複して有することになり、不経済なものであった。また、ＵＳＢカードアダプターの使用時にＰＨＳカードが接続された場合においても、音声通話機能を有していないため、公衆回線による音声通話ができなかった。
【０００７】
そこで、本発明は、ハンドセットとカードアダプターを一体的に構成することにより、情報機器側の負荷を低減することができるとともに、筐体やＵＳＢケーブル、インターフェース制御装置などの共用化が可能となり、経済的で使い勝手のよいハンドセット装置を提供することを目的とする。
【０００８】
【課題を解決するための手段】
本発明は、前記問題点を解決するために創作されたものであって、第１には、スピーカーとマイクロフォンを有し音声通話が可能になされたハンドセット装置であって、情報機器との間でＵＳＢプロトコルに基づいてデータ通信可能なＵＳＢ通信手段と、機能拡張カードを挿入および接続可能なカードスロット部と、前記カードスロットへ挿入した機能拡張カードを制御する機能拡張カード制御手段とを有することを特徴とする。
【０００９】
この第１の構成のハンドセット装置においては、スピーカーとマイクロフォンを有し音声通話が可能になされたハンドセット装置であって、情報機器との間でＵＳＢプロトコルに基づいてデータ通信可能なＵＳＢ通信手段と、機能拡張カードを挿入および接続可能なカードスロット部と、前記カードスロットへ挿入した機能拡張カードを制御する機能拡張カード制御手段とを有しているため、情報機器側のカードスロットを使用しないため情報機器側の負荷を低減することができるとともに、ハンドセット機能とカードアダプター機能を同時に使用することができ、極めて使い勝手のよいものとすることができ、また、筐体やＵＳＢケーブル、インターフェース制御装置などの共用化が可能となり、経済的なものとすることができる。
【００１０】
また、第２には、前記第１の構成のハンドセット装置において、前記カードスロットに装着された機能拡張カードのファンクション種別を検出するカード種別検出機能を有しており、該カード検出機能による検出結果に基づいて制御機能を切替えることにより、一つのカードスロットに複数の異なるファンクションの機能拡張カードの装着を可能になしたことを特徴とする。
【００１１】
この第２の構成のハンドセット装置においては、前記カードスロットに装着された機能拡張カードのファンクション種別を検出するカード種別検出機能を有しており、該カード検出機能による検出結果に基づいて制御機能を切替えることにより、一つのカードスロットに複数の異なるファンクションの機能拡張カードの装着を可能になされているため、カードのファンクション種別毎に別個にカードスロットを設定する必要がなく、一つのカードスロットで異なるファンクションの機能拡張カードを装着して、情報機器に異なるファンクションの機能を付加することが可能になる。
【００１２】
また、第３には、前記第１又は２の構成のハンドセット装置において、メモリーカードの読み出し、書き込み、消去を制御するメモリーカード制御機能を有しており、前記カードスロットにメモリーカードの装着を可能になしたことを特徴とする。
【００１３】
この第３の構成のハンドセット装置においては、メモリーカードの読み出し、書き込み、消去を制御するメモリーカード制御機能を有しており、前記カードスロットにメモリーカードの装着を可能になしているため、当該ハンドセット装置をメモリーカードアダプターとして機能させることが可能になる。
【００１４】
また、第４には、前記第１又は２又は３の構成のハンドセット装置において、ＰＨＳカードを制御するＰＨＳカード制御機能を有しており、前記カードスロットにＰＨＳカードの装着を可能になしたことを特徴とする。
【００１５】
この第４の構成のハンドセット装置においては、ＰＨＳカードを制御するＰＨＳカード制御機能を有しており、前記カードスロットにＰＨＳカードの装着を可能になしているため、当該ハンドセット装置をＰＨＳカードアダプターとして機能させることが可能になる。さらに、インターネット電話音声端末、公衆回線電話音声端末、及び公衆回線無線モデムターミナルとして多様に機能することが可能になる。また、現状では、モバイルで通信環境を構築する為には、携帯電話の他に通信カードの契約をしなければならないが、本構成によるハンドセット装置を利用すれば、ＰＨＳカードで音声通話も可能になるので、両方の契約をしなくても済むという効果も有している。
【００１６】
また、第５には、前記第１又は２又は３又は４の構成のハンドセット装置において、特定の電話局番を指定可能なダイヤル手段を有することを特徴とする。
【００１７】
この第５の構成のハンドセット装置においては、特定の電話局番を指定可能なダイヤル手段を有しているため、特定の電話局番を容易に指定して発信することが可能となる。また、現状では、モバイルで通信環境を構築する為には、携帯電話の他に通信カードの契約をしなければならないが、本構成によるハンドセット装置を利用すれば、ＰＨＳカードで音声通話も可能になるので、両方の契約をしなくても済むという効果も有している。
【００１８】
また、第６には、前記第１又は２又は３又は４又は５の構成のハンドセット装置において、前記機能拡張カードのインターフェース規格が、ＣＦＩ／Ｏカード規格であることを特徴とする。
【００１９】
また、第７には、前記第１又は２又は３又は４又は５の構成のハンドセット装置において、前記機能拡張カードのインターフェース規格が、ＳＤＩ／Ｏカード規格であることを特徴とする。
【００２０】
また、第８には、前記第１又は２又は３又は４又は５の構成のハンドセット装置において、前記機能拡張カードのインターフェース規格が、メモリースティックＩ／Ｏカード規格であることを特徴とする。
【００２１】
【発明の実施の形態】
［第１実施例］
本発明の実施の形態としての第１実施例を、図面を利用して以下に説明する。なお、本発明の第１実施例に基づくＵＳＢハンドセット（ハンドセット装置）１は、図１に示すように、ＰＣ（情報機器）１００とＵＳＢハンドセット１とをＵＳＢプロトコル（ＵＳＢ１．０規格、ＵＳＢ２．０規格）に準拠して接続しており、ＰＣ１００側から電力を得るバスパワー方式としている。また、前記ＵＳＢハンドセット１には、ＣＦＩ／Ｏ（ＣＦ＋）カード方式をサポートするＣＦ−ＰＨＳカード（ＰＨＳカード）２００、及びＣＦメモリーカード方式をサポートするＣＦメモリーカード３００を装着可能になされている。なお、具体的な使用態様については後述する。
【００２２】
前記ＵＳＢハンドセット１は、図２に示すように、手で把持することが容易なように縦長の略直方体状に形成されており、上面部に上記ＣＦ−ＰＨＳカード２００及びＣＦメモリーカード３００を接続可能なカードスロット（カードスロット部）２が形成されている。該カードスロット２は、ＣＦカード規格に準拠したスロットであり、ＣＦカード規格及びＣＦカードにＩ／Ｏ機能を持たせたＣＦ＋カード規格（ＴＹＰＥＩ、ＴＹＰＥＩＩ）に準拠した機能拡張カードの装着が可能になされている。
【００２３】
また、前記ＵＳＢハンドセット１は、裏面部側にＵＳＢケーブル３が接続されており、該ＵＳＢケーブル３の端部にはＵＳＢコネクタ４が固着されている。そして、図１に示すように、該ＵＳＢコネクタ４をホストであるＰＣ１００のＵＳＢポート１００−１に装着することによって、前記ＵＳＢハンドセット１がＰＣ１００にＵＳＢ接続される。なお、ここで、ホスト機器としてはＰＣ（パーソナルコンピュータ）に限定されるものではなく、ＵＳＢポートを有するか変換アダプタによって接続可能であればよく、ノートパソコン、ＰＤＡ、デジタルカメラ、携帯電話等、多様な機器が想定される。
【００２４】
また、前記ＵＳＢハンドセット１は、図３に示すように、内部にＵＳＢドライバー（ＵＳＢコントローラー）１０、マイクロコンピューター２０、ＣＦインターフェースコントローラー３０、音声ＣＯＤＥＣ４０、スピーカー５０、マイクロフォン６０を有している。
【００２５】
前記ＵＳＢドライバー１０は、図４に示すように、論理機能ブロックとして、カード検出切替部（カード種別検出機能）１２、メモリーカードリードライト制御部（メモリーカード制御機能）１４、ＩＯカード制御部（ＰＨＳカード制御機能）１６、ＵＳＢコントロール部１８（ＵＳＢ通信手段）を有しており、前記カードスロット２に装着された機能拡張カード、及びホストであるＰＣ１００側とのＵＳＢプロトコルによる通信を制御するカードアダプタ制御装置として機能する。
【００２６】
前記カード検出切替部１２は、前記カードスロット２に装着された機能拡張カードのファンクションの種別を検出し、その検出結果に基づいて使用する制御部を前記メモリーカードリードライト制御部１４と前記ＩＯカード制御部１６とに切替える。
【００２７】
前記メモリーカードリードライト制御部１４は、ＣＦメモリーカード３００を制御する制御情報を有しており、ホストであるＰＣ１００からの指令に基づいてＣＦメモリーカード３００を制御し、適宜該ＣＦメモリーカード３００に対するデータの読み出し、書き込み、消去を実行する。また、前記ＩＯカード制御部１６は、ＣＦ−ＰＨＳカード２００を制御する制御情報を有しており、ホストであるＰＣ１００からの指令に基づいてＣＦ−ＰＨＳカード２００を制御し、適宜該ＣＦ−ＰＨＳカード２００に対してＰＨＳ方式による通信を行わせる。
【００２８】
前記ＵＳＢコントロール部１８は、送られたデータ及び送るデータを記憶するバッファを有しており、前記ＰＣ１００のＵＳＢホストコントローラー１１０との通信上必要な処理の多くを自動的に行うとともに、ＵＳＢホストコントローラー１１０からのリクエストに応答する。その他、ＰＣ１００のＵＳＢホストコントローラー１１０との通信を制御し、入ってくるパケットの検出、パケットの送信、パケットＩＤの生成や解読、ＵＳＢシリアルデータとパラレルデータの変換、エラー処理や電力管理などを行う。
【００２９】
前記マイクロコンピューター２０は、各部から送られる信号に基づいて演算処理を行うとともに、各部の作動や処理の指令を行い、システム全体を統括的に制御、監視する。
【００３０】
前記ＣＦインターフェースコントローラー３０は、前記カードスロット２に装着された機能拡張カードであるＣＦメモリーカード３００又はＣＦ−ＰＨＳカード２００との通信を制御するとともに、ＣＦとＵＳＢとのブリッジ機能を有しており、ＣＦデータとＵＳＢデータ間の変換処理を行う。
【００３１】
前記音声ＣＯＤＥＣ４０は、音声情報によるデジタルコードの変復調装置であり、符号化及び複合化を行うとともに、伝送の効率化のための圧縮処理、及び復調処理などを行う。具体的には、マイクロフォン６０で受けたアナログ音声信号をデジタル信号に変換し、さらに所定の形式で圧縮処理を施して前記マイクロコンピューター２０へ送るとともに、前記マイクロコンピューター２０から送られた圧縮されたデジタル信号を復調処理及び復号化を行ってアナログ音声信号に変換し、スピーカー５０での音声の再生を可能にする。
【００３２】
次に、本第１実施例による前記ＵＳＢハンドセット１の使用状態について説明する。まず、本第１実施例によるＵＳＢハンドセット１とＰＣ１００間の、ＰＣ１００のＵＳＢポートにＵＳＢハンドセット１のＵＳＢコネクタ４が装着された時のＵＳＢコンフィグレーション通信の作動を説明する。ＰＣ１００のＵＳＢポートにＵＳＢハンドセット１のＵＳＢコネクタ４が挿入されて装着されると、ＰＣ１００がＵＳＢハンドセット１の各ディスクリプタを取得し、アドレスのアサイン、コンフィグレーション、パイプの初期化などが行われて、エニュメレーション処理される。
【００３３】
それにより、前記ＰＣ１００は、前記ＵＳＢハンドセット１のデバイスディスクリプタに記述されたベンダＩＤ、製品ＩＤ、またはＣｌａｓｓ，Ｓｕｂｃｌａｓｓから、マスストレージクラスとコミュニケーションクラスの二つのファンクションからなるコンボジットクラスのＵＳＢクラスデバイスとしてＵＳＢハンドセット１を認識する。これにより、前記ＰＣ１００と前記ＵＳＢハンドセット１とのＵＳＢパケット通信が可能となる。
【００３４】
次に、そのようにＰＣ１００に接続されてコンフィギュレーション処理されたＵＳＢハンドセット１のカードスロット２に、拡張カードが装着された時のカード検出切替の作動を説明する。前記カードスロット２に拡張カードが挿入されて装着されると、前記カード検出切替部１２が拡張カードのＣＩＳ情報を入手し、該ＣＩＳ情報に基づいて拡張カードの種別を検出する。
【００３５】
そして、検出した拡張カードの種別がＣＦメモリーカード３００であるかどうかが判断され、ＣＦメモリーカード３００であれば前記カードリードライト制御部１４によるデバイス制御に切替える。そのため、ＣＦメモリーカード３００への読み出し、書き込み、或いは消去の実行が可能となる。
【００３６】
また、検出した拡張カードの種別がＣＦメモリーカード３００でないと判断された場合には、検出した拡張カードの種別がＣＦ−ＰＨＳカード２００であるかどうかが判断される。そして、ＣＦ−ＰＨＳカード２００であればＩ／Ｏカードであると判断して前記Ｉ／Ｏ制御部１６によるデバイス制御に切替える。そのため、ＣＦ−ＰＨＳカード２００による通信の実行が可能となる。なお、検出した拡張カードの種別がＩ／Ｏカードでない場合には、前記カードスロット２に装着された拡張カードが、ＣＦメモリーカード３００でもＣＦ−ＰＨＳカード２００、或いはそれ以外のＣＦ−Ｉ／Ｏカードでもないと判断できるため、エラー処理される。
【００３７】
以上のように本第１実施例によるＵＳＢハンドセット１のカード検出切替処理により、前記カードスロット２に装着された拡張カードのファンクション種別を自動的に判別することができるため、ＣＦメモリーカード３００用とＣＦ−ＰＨＳカード２００用、或いはそれ以外のＩ／Ｏカードとでカードスロットを別個に設定する必要がなく、一つのカードスロット２でＣＦメモリーカード３００用とＣＦ−ＰＨＳカード２００、或いはそれ以外のＩ／Ｏカードとを差し替えて装着して使用することが可能になる。従って、ＵＳＢハンドセット１の構成を簡略化することができ、小型で安価な構成とすることができる。また、複数のカードスロットを搭載してマルチカードアダプタとした場合には、ＵＳＢハブコントローラーによってハブ接続する必要があるが、本実施例によるＵＳＢハンドセット１ではハブ接続でないため、ＵＳＢハブコントローラーも不要とすることができる。
【００３８】
次に、本第１実施例によるＵＳＢハンドセット１のカードスロット２にＣＦメモリーカード３００が装着されている場合のメモリーカード処理について説明する。ＰＣ１００からのリードライト等の処理命令があると、ＰＣ１００とＵＳＢハンドセット１との間でマスストレージクラスの仕様に基づいて通信が行われる。それにより、前記メモリーカードリードライト制御部１４がＣＦメモリーカード３００を制御して、ＣＦメモリーカード３００への読み出し、書き込み、消去を実行し、そのデータはＰＣ１００とＵＳＢハンドセット１との間でパケット通信によって送受され、またＵＳＢハンドセット１とＣＦメモリーカード３００との間でＣＦインターフェースに基づいて送受される。従って、この場合には、前記ＵＳＢハンドセット１は、一般的なＵＳＢカードリーダーライターと全く同様に作動することになる。
【００３９】
次に、本第１実施例によるＵＳＢハンドセット１のカードスロット２にＣＦ−ＰＨＳカード２００が装着されている場合の通信カード処理について説明する。ＰＣ１００からの送信命令があると、コミュニケーションクラスの仕様に基づいてＰＣ１００から送信データがパケット通信によってＵＳＢハンドセット１に送られ、さらにＣＦインターフェースに基づいてＣＦ−ＰＨＳカード２００に送られて、ＣＦ−ＰＨＳカード２００によって送信データのＰＨＳ送信が実行される。また、ＰＣ１００からの受信命令があると、ＣＦ−ＰＨＳカード２００によって受信データのＰＨＳ受信が実行される。
【００４０】
そして、受信データがＣＦインターフェースに基づいてＣＦ−ＰＨＳカード２００からＵＳＢハンドセット１に送られ、さらにコミュニケーションクラスの仕様に基づいてＵＳＢハンドセット１から受信データがパケット通信によってＰＣ１００に送られる。従って、以上の処理により、前記ＵＳＢハンドセット１は、一般的な通信カードアダプタと全く同様に作動することになる。
【００４１】
次に、前記ＵＳＢハンドセット１が、インターネット電話における音声端末として機能する使用態様を説明する。この場合、前記ＣＦ−ＰＨＳカードは使用しないため、図５に示すように、前記ＵＳＢハンドセット１に前記ＣＦ−ＰＨＳカード２００が装着されていなくてもよい。そして、ＰＣ１００のＵＳＢポート１００−１に前記ＵＳＢコネクタ４を装着して、前記ＵＳＢケーブル３によって前記ＰＣ１００と前記ＵＳＢハンドセット１とが接続された状態とする。
【００４２】
そして、図５に示すように、所謂「ダイヤラーソフト」などによって前記ＰＣ１００は、アクセスポイント、インターネット網に接続された状態とし、予めＰＣ１００にインストールされている所謂「ＩＰ電話ソフト」を起動する。そして、ＰＣ１００から固定型の一般的な電話機である電話機４００の電話番号を入力して発信することにより、電話会社の電話交換機を介して電話機４００に接続される。なお、電話機４００側から発信する場合は、この逆の処理となる。
【００４３】
これにより、前記ＵＳＢハンドセット１の前記ＵＳＢドライバー１０とＰＣ１００のＵＳＢホストコントローラー１１０とのＵＳＢプロトコルによる通信が確立され、前記スピーカー５０及びマイクロフォン６０を用いて前記ＵＳＢハンドセット１と前記電話機４００とのインターネット電話による音声通話を行うことが可能になる。
【００４４】
以上のように、本第１実施例によるＵＳＢハンドセット１は、ＵＳＢケーブル３を介してＰＣ１００との通信を行うことにより、前記ＰＣ１００が公衆電話回線に接続された一般電話機やインターネット網に接続された他のＰＣなどと行うインターネット電話における音声端末として機能するため、前記ＣＦ−ＰＨＳカード２００を装着していない場合であっても、インターネット電話端末のハンドセット装置としての使用が可能になる。
【００４５】
また、ＵＳＢハンドセット１にＶｏＩＰ（Ｖｏｉｃｅ  ｏｖｅｒ  ＩＰ）のエンジンを内蔵するものとすれば、前記ＰＣ１００を経由しなくても、本ＵＳＢハンドセット１単独でインターネット電話を行うことが可能である。
【００４６】
次に、前記ＵＳＢハンドセット１が、前記ＰＣ１００に無線モデム機能を付加するＰＨＳ回線モデムターミナルとしての使用態様を説明する。この場合、図１に示すように、前記ＵＳＢハンドセット１には、ＣＦ−ＰＨＳカード２００が装着された状態とするとともに、ＰＣ１００のＵＳＢポート１００−１に前記ＵＳＢコネクタ４を装着して、前記ＵＳＢケーブル３によって前記ＰＣ１００と前記ＵＳＢハンドセット１とが接続された状態とする。
【００４７】
そして、前記ＣＦ−ＰＨＳカード２００を起動した状態から、前記ＰＣ１００にインストールされた無線モデムドライバによってＰＨＳ公衆回線を通じて所定のアクセスポイントへ発信が行われ、パスワード、ＩＤナンバーの入力によりインターネット網に接続される。これにより、前記ＵＳＢハンドセット１は、前記ＰＣ１００をインターネット網に接続させるＰＨＳ回線モデムターミナルとして機能する。
【００４８】
以上のように、本第１実施例によるＵＳＢハンドセット１によれば、ＰＣ１００側のカードスロットを使用しないためＰＣ１００側の負荷を低減することができるとともに、ハンドセット機能とカードアダプター機能を同時に使用することができ、極めて使い勝手のよいものとすることができる。また、筐体やＵＳＢケーブル３、インターフェース制御装置であるＵＳＢドライバー１０、ＣＦインターフェースコントローラー３０、或いはマイクロコンピューター２０などの共用化が可能となり、経済的なものとすることができる。
【００４９】
また、前記カードスロット２に装着された機能拡張カードのファンクション種別を検出する前記カード検出切替部１２を有しているため、該カード検出切替部１２による検出結果に基づいて制御機能を切替えることにより、一つのカードスロット２に複数の異なるファンクションの機能拡張カードの装着を可能になされているため、カードのファンクション種別毎に別個にカードスロットを設定する必要がなく、一つのカードスロット２で異なるファンクションの機能拡張カードを装着して、情報機器に異なるファンクションの機能を付加することが可能になる。
【００５０】
また、前記ＵＳＢハンドセット１によれば、前記ＣＦ−ＰＨＳカード２００を制御する前記ＩＯカード制御部１６を有しており、前記カードスロット２にＣＦ−ＰＨＳカード２００、或いはその他の機能拡張カードの装着を可能になしているため、当該ＵＳＢハンドセット１をＰＨＳカードアダプターとして機能させることができ、前記ＰＣ１００がＣＦカードスロットを有していない場合であっても、ＣＦカードタイプの機能拡張カードの使用が可能になる。そのため、上述したように、インターネット電話音声端末、及び公衆回線無線モデムターミナルとして多様に機能することが可能になる。また、現状では、モバイルで通信環境を構築する為には、携帯電話の他に通信カードの契約をしなければならないが、本構成によるＵＳＢハンドセット１を利用すれば、前記ＣＦ−ＰＨＳカード２００で音声通話も可能になるので、両方の契約をしなくても済むという効果も有している。
【００５１】
また、前記ＵＳＢハンドセット１にメール着信を受けられるように機能させることも可能である。つまり、メールサーバーを定期的にチェックし、メールが着信していれば着信アラームを鳴らすか、前記ディスプレイなどに表示することにより、ユーザーにメールの着信を報知するようにする。これにより、ユーザーがメールの着信を確認すれば、前記ＰＣ１００を起動して前記ＰＣ１００側でメールを受信することができる。
【００５２】
［第２実施例］
本発明の実施の形態としての第２実施例を、図面を利用して以下に説明する。なお、本発明の第２実施例に基づくＵＳＢハンドセット（ハンドセット装置）Ｓ１は、前記第１実施例におけるＵＳＢハンドセット１に対して、図６及び図７に示すように、ディスプレイモジュールＳ７０、及びダイヤルモジュール（ダイヤル手段）Ｓ８０を有している点と、前記ＵＳＢハンドセット１のカードスロット２がＣＦＩ／Ｏ（ＣＦ＋）カード方式をサポートしているのに対して、本第２実施例に基づくＵＳＢハンドセットＳ１におけるカードスロットＳ２がＳＤＩ／Ｏカード方式をサポートしている点が異なっており、その他の構成は前記第１実施例におけるＵＳＢハンドセット１と略同一である。従って、ここでは、その異なっている部分についてのみ詳述し、前記第１実施例におけるＵＳＢハンドセット１と共通する部分については説明を省略する。
【００５３】
前記ＵＳＢハンドセットＳ１は、図７に示すように、手で把持することが容易なように縦長の略直方体状に形成されており、上面部にＳＤ−ＰＨＳカードＳ２００及びＳＤメモリーカードＳ３００を接続可能なカードスロットＳ２が形成されている。該カードスロットＳ２は、ＳＤカード規格に準拠したスロットであり、ＳＤカード規格及びＩ／Ｏ機能を有するＳＤＩ／Ｏカード規格に準拠した機能拡張カードの装着が可能になされている。
【００５４】
また、前記ＵＳＢハンドセットＳ１は、裏面部側にＵＳＢケーブル３が接続されており、該ＵＳＢケーブル３の端部にはＵＳＢコネクタ４が固着されている。そして、図６に示すように、該ＵＳＢコネクタ４をホストであるＰＣ１００のＵＳＢポート１００−１に装着することによって、前記ＵＳＢハンドセット１がＰＣ１００にＵＳＢ接続される。また、前記ＵＳＢハンドセットＳ１は、図８に示すように、内部にＵＳＢドライバー（ＵＳＢコントローラー）１０、マイクロコンピューター２０、ＳＤＩ／ＯインターフェースコントローラーＳ３０、音声ＣＯＤＥＣ４０、スピーカー５０、マイクロフォン６０、ディスプレイモジュールＳ７０、ダイヤルモジュールＳ８０を有している。
【００５５】
前記ＳＤインターフェースコントローラーＳ３０は、前記カードスロットＳ２に装着された機能拡張カードであるＳＤメモリーカードＳ３００又はＳＤ−ＰＨＳカードＳ２００との通信を制御するとともに、ＳＤ又はＳＤＩ／ＯとＵＳＢとのブリッジ機能を有しており、ＳＤ又はＳＤＩ／ＯデータとＵＳＢデータ間の変換処理を行う。
【００５６】
前記ディスプレイモジュールＳ７０は、液晶ディスプレイユニットと図示略のその制御装置などから構成されており、図８に示すように、前記マイクロコンピュータ２０に接続されている。そして、前記マイクロコンピュータ２０からの指令に基づいて、所定の文字や画像を液晶ディスプレイに表示する。
【００５７】
前記ダイヤルモジュールＳ８０は、図７に示すように、「数字ボタン」、「フックボタン」などが個別に設定されて配置されている一般的なプッシュ式の所謂「プッシュダイヤル方式」であり、電話番号などを指定し、或いは一覧から選択して特定することができるようにになされている。その他、メール文字などを入力する文字入力機能や、音量設定や輝度設定などの基本設定なども操作可能となっている。
【００５８】
次に、本第２実施例による前記ＵＳＢハンドセットＳ１の使用状態について説明する。まず、前記ＵＳＢハンドセットＳ１が単独でＰＨＳ公衆電話回線による音声通話が可能なＰＨＳ音声端末としての使用態様を説明する。この場合、図９に示すように、前記ＵＳＢハンドセットＳ１には、ＳＤ−ＰＨＳカードＳ２００が装着された状態とし、前記ＳＤ−ＰＨＳカードＳ２００を起動しておく。
【００５９】
そして、前記ＵＳＢハンドセットＳ１側から発信する場合には、前記ＳＤ−ＰＨＳカードＳ２００を起動した状態から、前記ダイヤルモジュールＳ８０のダイヤルを押す操作を行うことにより、前記ディスプレイモジュールＳ７０の液晶ディスプレイに表示された相手先の携帯電話Ｓ５００の携帯番号をアドレス一覧から選択するか、直接相手先の携帯電話Ｓ５００の携帯番号を入力する。これにより、携帯電話Ｓ５００の呼出しが行われ、携帯電話Ｓ５００が応じれば前記マイクロフォンＳ６０及びスピーカーＳ５０を用いてＰＨＳ音声通話を行うことが可能になる。
【００６０】
また、前記携帯電話Ｓ５００側から発信された場合には、前記ＵＳＢハンドセットＳ１側に所謂「着メロ」と称される呼出しの音楽や、振動による呼出しが行われる。そのため、前記ＵＳＢハンドセットＳ１の前記ダイヤルモジュールＳ８０によってフック操作を行って応答することにより、前記携帯電話Ｓ５００と前記ＵＳＢハンドセットＳ１とが、前記携帯電話Ｓ５００からの発信によるＰＨＳ音声通話を行うことが可能になる。
【００６１】
以上のように、本第２実施例によるＵＳＢハンドセットＳ１は、前記ＳＤ−ＰＨＳカードＳ２００を装着することにより、単独でＰＨＳ公衆電話回線による音声通話が可能であるため、情報機器に接続することなく単独でＰＨＳ電話端末として、通常の携帯電話と同様な使用が可能になる。
【００６２】
次に、前記ＵＳＢハンドセットＳ１が、インターネット電話における音声端末として機能する使用態様を説明する。この場合、前記ＳＤ−ＰＨＳカードＳ２００は使用しないため、図１０に示すように、前記ＵＳＢハンドセットＳ１に前記ＳＤ−ＰＨＳカードＳ２００が装着されていなくてもよい。そして、ＰＣ１００のＵＳＢポート１００−１に前記ＵＳＢコネクタ４を装着して、前記ＵＳＢケーブル３によって前記ＰＣ１００と前記ＵＳＢハンドセット１とが接続された状態とする。
【００６３】
そして、所謂「ダイヤラーソフト」などによって前記ＰＣ１００は、アクセスポイント、インターネット網に接続された状態とし、予めＰＣ１００にインストールされている所謂「ＩＰ電話ソフト」を起動する。そして、ＰＣ１００から固定型の一般的な電話機である電話機４００の電話番号を入力して発信することにより、電話会社の電話交換機を介して電話機４００に接続される。なお、電話機４００側から発信する場合は、この逆の処理となる。
【００６４】
これにより、前記ＵＳＢハンドセットＳ１の前記ＵＳＢドライバー１０とＰＣ１００のＵＳＢホストコントローラー１１０とのＵＳＢプロトコルによる通信が確立され、前記スピーカーＳ５０及びマイクロフォンＳ６０を用いて前記ＵＳＢハンドセット１と前記電話機４００とのインターネット電話による音声通話を行うことが可能になる。
【００６５】
以上のように、本第２実施例によるＵＳＢハンドセット１は、ＵＳＢケーブル３を介してＰＣ１００との通信を行うことにより、前記ＰＣ１００が公衆電話回線に接続された一般電話機やインターネット網に接続された他のＰＣなどと行うインターネット電話における音声端末として機能するため、前記ＳＤ−ＰＨＳカード２００を装着していない場合であっても、インターネット電話端末のハンドセット装置としての使用が可能になる。
【００６６】
次に、前記ＵＳＢハンドセットＳ１が、前記ＰＣ１００に無線モデム機能を付加するＰＨＳ回線モデムターミナルとしての使用態様を説明する。この場合、図６に示すように、前記ＵＳＢハンドセットＳ１には、ＳＤ−ＰＨＳカードＳ２００が装着された状態とするとともに、ＰＣ１００のＵＳＢポート１００−１に前記ＵＳＢコネクタ４を装着して、前記ＵＳＢケーブル３によって前記ＰＣ１００と前記ＵＳＢハンドセット１とが接続された状態とする。
【００６７】
そして、前記ＳＤ−ＰＨＳカードＳ２００を起動した状態から、前記ＰＣ１００にインストールされた無線モデムドライバによってＰＨＳ公衆回線を通じて所定のアクセスポイントへ発信が行われ、パスワード、ＩＤナンバーの入力によりインターネット網に接続される。これにより、前記ＵＳＢハンドセットＳ１は、前記ＰＣ１００をインターネット網に接続させるＰＨＳ回線モデムターミナルとして機能する。
【００６８】
以上のように、本第２実施例によるＵＳＢハンドセットＳ１によれば、ＰＣ１００側のカードスロットを使用しないためＰＣ１００側の負荷を低減することができるとともに、ハンドセット機能とカードアダプター機能を同時に使用することができ、極めて使い勝手のよいものとすることができる。また、筐体やＵＳＢケーブル３、インターフェース制御装置であるＵＳＢドライバー１０、ＳＤＩ／ＯインターフェースコントローラーＳ３０、或いはマイクロコンピューター２０などの共用化が可能となり、経済的なものとすることができる。
【００６９】
また、前記ＵＳＢハンドセットＳ１によれば、前記ＳＤ−ＰＨＳカードＳ２００を制御する前記ＩＯカード制御部１６を有しており、前記カードスロット２にＳＤ−ＰＨＳカードＳ２００、或いはその他の機能拡張カードの装着を可能になしているため、当該ＵＳＢハンドセットＳ１をＰＨＳカードアダプターとして機能させることができ、前記ＰＣ１００がＳＤカードスロットを有していない場合であっても、ＳＤカードタイプの機能拡張カードの使用が可能になる。そのため、上述したように、インターネット電話音声端末、公衆回線電話音声端末、及び公衆回線無線モデムターミナルとして多様に機能することが可能になる。
【００７０】
なお、上記第１及び第２実施例においては、ＵＳＢハンドセット１、Ｓ１がサポートするＣＦ−ＰＨＳカード２００、ＣＦメモリーカード３００、ＳＤ−ＰＨＳカードＳ２００、ＳＤメモリーカードＳ３００の規格は、それぞれＣＦ、ＣＦＩ／Ｏ、ＳＤ、ＳＤＩ／Ｏであったが、本発明はこれに限ったものではない。例えば、ＰＣＭＣＩＡ規格やメモリースティックＩ／Ｏカード規格、或いはその他の拡張カードの規格であってもよい。
【００７１】
また、ＰＨＳカード以外の通信カードとしては、ＦＯＭＡ、ＤｏＰａ等の高速通信規格に対応したものが考えられ、またその他の通信カードであってもよい。また、ＰＨＳカード以外にもＧＰＳカードなど他の機能拡張カードを装着するようにしてもよい。
【００７２】
また、本実施例のＵＳＢハンドセットＳ１は、特定の電話局番を指定可能なダイヤル手段として一般的なプッシュ式のプッシュダイヤルのダイヤルモジュールＳ８０としているが、所謂「ジョグダイヤル方式」のダイヤルモジュールとしてもよい。
【００７３】
【発明の効果】
本発明の請求項１に基づくハンドセット装置によれば、スピーカーとマイクロフォンを有し音声通話が可能になされたハンドセット装置であって、情報機器との間でＵＳＢプロトコルに基づいてデータ通信可能なＵＳＢ通信手段と、機能拡張カードを挿入および接続可能なカードスロット部と、前記カードスロットへ挿入した機能拡張カードを制御する機能拡張カード制御手段とを有しているため、情報機器側のカードスロットを使用しないため情報機器側の負荷を低減することができるとともに、ハンドセット機能とカードアダプター機能を同時に使用することができ、極めて使い勝手のよいものとすることができ、また、筐体やＵＳＢケーブル、インターフェース制御装置などの共用化が可能となり、経済的なものとすることができる。
【００７４】
また、特に、請求項２に基づくハンドセット装置によれば、前記カードスロットに装着された機能拡張カードのファンクション種別を検出するカード種別検出機能を有しており、該カード検出機能による検出結果に基づいて制御機能を切替えることにより、一つのカードスロットに複数の異なるファンクションの機能拡張カードの装着を可能になされているため、カードのファンクション種別毎に別個にカードスロットを設定する必要がなく、一つのカードスロットで異なるファンクションの機能拡張カードを装着して、情報機器に異なるファンクションの機能を付加することが可能になる。
【００７５】
また、特に、請求項３に基づくハンドセット装置によれば、メモリーカードの読み出し、書き込み、消去を制御するメモリーカード制御機能を有しており、前記カードスロットにメモリーカードの装着を可能になしているため、当該ハンドセット装置をメモリーカードアダプターとして機能させることが可能になる。
【００７６】
また、特に、請求項４に基づくハンドセット装置によれば、ＰＨＳカードを制御するＰＨＳカード制御機能を有しており、前記カードスロットにＰＨＳカードの装着を可能になしているため、当該ハンドセット装置をＰＨＳカードアダプターとして機能させることが可能になる。さらに、インターネット電話音声端末、公衆回線電話音声端末、及び公衆回線無線モデムターミナルとして多様に機能することが可能になる。また、現状では、モバイルで通信環境を構築する為には、携帯電話の他に通信カードの契約をしなければならないが、本構成によるハンドセット装置を利用すれば、ＰＨＳカードで音声通話も可能になるので、両方の契約をしなくても済むという効果も有している。
【００７７】
また、特に、請求項５に基づくハンドセット装置によれば、特定の電話局番を指定可能なダイヤル手段を有しているため、特定の電話局番を容易に指定して発信することが可能となる。
【図面の簡単な説明】
【図１】本発明の第１実施例に基づくハンドセット装置のＰＨＳ回線モデムターミナル機能を示す説明図である。
【図２】第１実施例に基づくハンドセットの構造を示す斜視図である。
【図３】第１実施例に基づくハンドセットの構成を示す説明図である。
【図４】第１実施例に基づくＵＳＢドライバーの機能ブロックを示す構成図である。
【図５】第１実施例に基づくハンドセット装置のインターネット電話音声端末機能を示す説明図である。
【図６】本発明の第２実施例に基づくハンドセット装置のＰＨＳ回線モデムターミナル機能を示す説明図である。
【図７】第２実施例に基づくハンドセットの構造を示す斜視図である。
【図８】第２実施例に基づくハンドセットの構成を示す説明図である。
【図９】第２実施例に基づくハンドセット装置のＰＨＳ電話音声端末機能を示す説明図である。
【図１０】第２実施例に基づくハンドセット装置のインターネット電話音声端末機能を示す説明図である。
【符号の説明】
１、Ｓ１  ハンドセット装置
２、Ｓ２  カードスロット部
１２  カード種別検出機能
１４  メモリーカード制御機能
１６  ＰＨＳカード制御機能
１８  ＵＳＢ通信手段
５０、Ｓ５０  スピーカー
６０、Ｓ６０  マイクロフォン
Ｓ８０  ダイヤル手段
１００  情報機器
２００、Ｓ２００  ＰＨＳカード
３００、Ｓ３００  メモリーカード
【図１】
2004248239.tif 000003
【図２】
2004248239.tif 000004
【図３】
2004248239.tif 000005
【図４】
2004248239.tif 000006
【図５】
2004248239.tif 000007
【図６】
2004248239.tif 000008
【図７】
2004248239.tif 000009
【図８】
2004248239.tif 000010
【図９】
2004248239.tif 000011
【図１０】
2004248239.tif 000012